(57)【特許請求の範囲】
【請求項１】
所定の第１位置と第２位置との間を移動可能な装飾体を有する可動遊技手段を備えており、所定の条件が満たされると、前記装飾体が前記第１位置から前記第２位置へ移動する遊技機であって、
前記可動遊技手段に、固定レール、前記固定レール上をスライドする移動レール、及び前記移動レール上をスライドする移動体を備え、前記固定レール上の前記移動レールのスライドと前記移動レール上の前記移動体のスライドとの組み合わせにより、前記移動体が基端位置と先端位置との間をスライドするスライド手段を設けるとともに、前記基端位置と前記先端位置とが水平、若しくは、前記基端位置が前記先端位置よりも下方に位置する第１回動姿勢と、前記先端位置が前記基端位置よりも下方に位置する第２回動姿勢との間で、前記基端位置側を軸として前記スライド手段を回動させる回動手段を設け、さらに前記スライド手段が前記第２回動姿勢となったことに伴い先端位置へスライドした前記移動体を、前記スライド手段が前記第１回動姿勢へ復帰するに際して、前記基端位置へ復帰させる復帰手段を設けており、
前記装飾体を前記移動体に固定し、前記スライド手段が前記第１回動姿勢にあって前記移動体が前記基端位置にあると前記装飾体は前記第１位置にあり、前記所定の条件が満たされると、前記スライド手段が前記第１回動姿勢から前記第２回動姿勢へ回動することにより、前記装飾体は前記移動体と共に回動しながら前記先端位置側へスライドし、前記移動体の前記先端位置への到達をもって、前記装飾体は前記第２位置へ移動する一方、
前記装飾体に、飾り部を有する飾り部材を、前記飾り部が前記装飾体内に位置する退避姿勢と、前記飾り部が前記装飾体から突出する演出姿勢との間を回動可能に設けるとともに、
前記固定レールに作用突起を、前記飾り部材に、前記作用突起との干渉を避けるための逃げ部と、前記逃げ部から連続して設けられ、前記作用突起が干渉可能な被作用部とを夫々設け、前記装飾体が前記第１位置にある際には、前記作用突起が前記逃げ部に対応した位置にあって、前記飾り部材が前記退避姿勢をとっており、
前記作用突起が、前記装飾体の前記先端位置側へのスライドに伴って前記被作用部側へ相対的に移動し、前記被作用部に干渉することによって、前記飾り部材を前記退避姿勢から前記演出姿勢へ姿勢変更させることを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、たとえば通常時には演出用表示部の外側となる退避位置にあり、特定のリーチ演出時になると演出用表示部の前側となる演出位置へ移動するような装飾体を有する可動遊技手段（所謂、電動役物）が備えられている。そのような電動役物としては、たとえば特許文献１に記載されている電動役物のように、前後方向を軸とした回動により装飾体を退避位置から演出位置へ移動するようなものがある。
【先行技術文献】
【特許文献】
【０００３】
【特許文献１】特開２０１１−２４６６８号公報
【発明の概要】
【発明が解決しようとする課題】
【０００４】
しかしながら、特許文献１に記載されている電動役物のように、装飾体を回動のみによって演出位置へ移動させるように構成すると、装飾体が移動する範囲が狭く、電動役物による演出効果が乏しいという問題がある。
【０００５】
そこで、本発明は、上記問題に鑑みなされたものであって、装飾体をより広範囲にわたり移動させることができ、可動遊技手段による演出効果の高い遊技機を提供しようとするものである。
【課題を解決するための手段】
【０００６】
上記目的を達成するために、本発明は、所定の第１位置と第２位置との間を移動可能な装飾体を有する可動遊技手段を備えており、所定の条件が満たされると、前記装飾体が前記第１位置から前記第２位置へ移動する遊技機であって、前記可動遊技手段に、固定レール、前記固定レール上をスライドする移動レール、及び前記移動レール上をスライドする移動体を備え、前記固定レール上の前記移動レールのスライドと前記移動レール上の前記移動体のスライドとの組み合わせにより、前記移動体が基端位置と先端位置との間をスライドするスライド手段を設けるとともに、前記基端位置と前記先端位置とが水平、若しくは、前記基端位置が前記先端位置よりも下方に位置する第１回動姿勢と、前記先端位置が前記基端位置よりも下方に位置する第２回動姿勢との間で、前記基端位置側を軸として前記スライド手段を回動させる回動手段を設け、さらに前記スライド手段が前記第２回動姿勢となったことに伴い先端位置へスライドした前記移動体を、前記スライド手段が前記第１回動姿勢へ復帰するに際して、前記基端位置へ復帰させる復帰手段を設けており、前記装飾体を前記移動体に固定し、前記スライド手段が前記第１回動姿勢にあって前記移動体が前記基端位置にあると前記装飾体は前記第１位置にあり、前記所定の条件が満たされると、前記スライド手段が前記第１回動姿勢から前記第２回動姿勢へ回動することにより、前記装飾体は前記移動体と共に回動しながら前記先端位置側へスライドし、前記移動体の前記先端位置への到達をもって、前記装飾体は前記第２位置へ移動する一方、前記装飾体に、飾り部を有する飾り部材を、前記飾り部が前記装飾体内に位置する退避姿勢と、前記飾り部が前記装飾体から突出する演出姿勢との間を回動可能に設けるとともに、前記固定レールに作用突起を、前記飾り部材に、前記作用突起との干渉を避けるための逃げ部と、前記逃げ部から連続して設けられ、前記作用突起が干渉可能な被作用部とを夫々設け、前記装飾体が前記第１位置にある際には、前記作用突起が前記逃げ部に対応した位置にあって、前記飾り部材が前記退避姿勢をとっており、前記作用突起が、前記装飾体の前記先端位置側へのスライドに伴って前記被作用部側へ相対的に移動し、前記被作用部に干渉することによって、前記飾り部材を前記退避姿勢から前記演出姿勢へ姿勢変更させることを特徴とする。
【発明の効果】
【０００７】
本発明によれば、可動遊技手段に、基端位置と先端位置との間をスライド自在な移動体を有するスライド手段を設けるとともに、基端位置と先端位置とが水平、若しくは、基端位置が先端位置よりも下方に位置する第１回動姿勢と、先端位置が基端位置よりも下方に位置する第２回動姿勢との間で、基端位置側を軸としてスライド手段を回動させる回動手段を設け、さらにスライド手段が第２回動姿勢となったことに伴い先端位置へスライドした移動体を、スライド手段が第１回動姿勢へ復帰するに際して、基端位置へ復帰させる復帰手段を設けており、装飾体を移動体に固定し、スライド手段が第１回動姿勢にあって移動体が基端位置にあると装飾体は第１位置にあり、所定の条件が満たされると、スライド手段が第１回動姿勢から第２回動姿勢へ回動することにより、装飾体は移動体と共に回動しながら先端位置側へスライドし、移動体の先端位置への到達をもって、装飾体は第２位置へ移動するようになっている。したがって、従来の回動のみにより第１位置から第２位置へ移動させるものと比較して、装飾体を広い範囲にわたり移動させることができ、可動遊技手段による演出効果の高い、すなわち遊技性の高い遊技機とすることができる。
また、スライド手段が、固定レールと、固定レール上をスライドする移動レールと、移動レール上をスライドする移動体とを備えているため、移動体のスライド速度が速く、より可動遊技手段による演出効果の高い遊技機とすることができる。さらに、移動体をスライドさせるためのモータ等の駆動手段が必要でなく、部品点数の削減やそれに伴うコスト低下といった効果に加え、煩雑な配線作業を必要としない、配線用のスペースを確保する必要がない等の効果もある。
加えて、装飾体に、飾り部を有する飾り部材を、飾り部が装飾体内に位置する退避姿勢と、飾り部が装飾体から突出する演出姿勢との間を回動可能に設けるとともに、固定レールに作用突起を、飾り部材に、作用突起との干渉を避けるための逃げ部と、逃げ部から連続して設けられ、作用突起が干渉可能な被作用部とを夫々設け、装飾体が第１位置にある際には、作用突起が逃げ部に対応した位置にあって、飾り部材が退避姿勢をとっており、作用突起が、装飾体の先端位置側へのスライドに伴って被作用部側へ相対的に移動し、被作用部に干渉することによって、飾り部材を退避姿勢から演出姿勢へ姿勢変更させるようにしている。したがって、装飾体の内部にソレノイドやモータ等の駆動手段を設けずとも、飾り部材を作動させることができるため、部品点数を減らすことができ、コストの低減を図ることができる上、煩雑な配線作業や配線に係るスペース確保に係る問題が生じない。
【図面の簡単な説明】
【０００８】
【図１】パチンコ機を前面側から示した説明図である。
【図２】装飾可動体が退避位置にある遊技盤を前面側から示した説明図である。
【図３】装飾可動体が演出位置にある遊技盤を前面側から示した説明図である。
【図４】パチンコ機を後面側から示した説明図である。
【図５】装飾可動体が退避位置にある状態の電動役物を前側から示した説明図である。
【図６】装飾可動体が演出位置にある状態の電動役物を前側から示した説明図である。
【図７】支持アーム体が第１回動姿勢にある状態の回動機構及びスライド機構を前側から示した説明図である。
【図８】支持アーム体が第２回動姿勢にある状態の回動機構及びスライド機構を前側から示した説明図である。
【図９】分解状態にある回動機構を前側から示した斜視説明図である。
【図１０】分解状態にある回動機構を後側から示した斜視説明図である。
【図１１】スライド機構及び分解状態にある装飾可動体を前側から示した斜視説明図である。
【図１２】スライド機構及び分解状態にある装飾可動体を後側から示した斜視説明図である。
【図１３】上飾り部材及び下飾り部材が退避姿勢にある状態の装飾可動体の内部を前側から示した説明図である。
【図１４】退避姿勢にある下飾り部材と作用突起との関係を前側から示した説明図である。
【図１５】退避姿勢にある上飾り部材及び下飾り部材と作用突起との関係を後側から示した説明図である。
【図１６】上飾り部材及び下飾り部材が演出姿勢にある状態の装飾可動体の内部を前側から示した説明図である。
【図１７】演出姿勢にある下飾り部材と作用突起との関係を前側から示した説明図である。
【図１８】演出姿勢にある上飾り部材及び下飾り部材と作用突起との関係を後側から示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、装飾可動体３２が退避位置にある遊技盤２を前面側から示した説明図である。図３は、装飾可動体３２が演出位置にある遊技盤２を前面側から示した説明図である。図４は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むようにセンター部材２６が遊技盤２に設置されており、該センター部材２６には、演出用表示部６の上側の退避位置（第１位置）と、演出用表示部６の前側の演出位置（第２位置）との間を移動可能な装飾体３２を有する電動役物３１が設けられている。また、センター部材２６の下方には、遊技球が入賞可能な始動入賞口１９と、開閉可能な扉部材を有する第１大入賞装置１７とが設けられている。さらにまた、センター部材２６の左方から下方にかけては、遊技球が流下可能な左打ち用スペースＳＬが形成されており、左打ち用スペースＳＬを流下させることで、効率良く始動入賞口１９や開成した第１大入賞装置１７へ入賞させ得るようになっている。さらに、センター部材２６の左側部には、左打ち用スペースＳＬを流下させるべく遊技領域１６の上部空間へ打ち込まれた遊技球を、左打ち用スペースＳＬ側へ導くための合成樹脂製の遊技球通路部３０が、センター部材２６と一体的に設けられている。
【００１２】
一方、センター部材２６の右方にも遊技球が流下可能な右打ち用スペースＳＲが形成されている。また、該右打ち用スペースＳＲには、可動体（図示せず）を有して遊技球の入賞を可能／不可能とする可動入賞役物を内蔵した入賞装置２０、及び開閉可能な扉部材を有する第２大入賞装置１８が設置されている。そして、遊技球を左打ち用スペースＳＬではなく右打ち用スペースＳＲを流下させることにより、入賞装置２０の可動入賞役物や、開成した第２大入賞装置１８へ入賞させることができる。なお、左打ち用スペースＳＬや右打ち用スペースＳＲには、多数の遊技釘（図示せず）が植設されている。また、遊技領域１６外となる遊技盤２の右下部には、第１特別図柄及び第２特別図柄を夫々別個に表示可能とした特別図柄表示部８３が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは遊技球通路部３０を介して左打ち用スペースＳＬを流下させる等し（所謂左打ちを行い）、始動入賞口１９への遊技球の入賞を狙う。そして、始動入賞口１９への遊技球の入賞検知に起因して実行される所謂大当たり抽選の結果が「大当たり」になると、特別図柄表示部８３及び演出用表示部６に夫々所定の「大当たり図柄」が確定表示される（たとえば、演出用表示部６に「７、７、７」と確定表示させる）。また、「大当たり図柄」が確定表示されると、第１大入賞装置１７を所定回数にわたって断続的に開成させるといった所謂「大当たり状態」が生起する。そこで、遊技者は左打ちを継続し、断続的に開成する第１大入賞装置１７への遊技球の入賞を狙う。なお、始動入賞口１９へ遊技球が入賞した場合、特別図柄表示部８３では第１特別図柄を変動／確定表示させる。
【００１６】
また、大当たり状態が終了すると、第１特別図柄及び第２特別図柄の合計の確定表示回数が所定回数に達するまで、入賞装置２０への遊技球の進入検知に起因して実行される所謂当たり抽選の結果が「当たり」となりやすく、入賞装置２０の内部において可動入賞役物が頻繁に開状態となって遊技球の入賞を可能とする所謂時短状態が生起する。そこで、遊技者は、遊技球を右打ち用スペースＳＲへ打ち込んで流下させる所謂右打ちを行い、可動入賞役物への遊技球の入賞を狙う。そして、可動入賞役物へ遊技球が入賞すると、上記始動入賞口１９へ遊技球が入賞した場合と同じく大当たり抽選が実行され、該大当たり抽選の結果が「大当たり」になると、特別図柄表示部８３及び演出用表示部６に夫々所定の「大当たり図柄」が確定表示される。また、可動入賞役物への遊技球の入賞に応じて「大当たり図柄」が確定表示されると、第２大入賞装置１８を所定回数にわたって断続的に開成させるといった「大当たり状態」が生起する。そこで、遊技者は右打ちを継続し、断続的に開成する第２大入賞装置１８への遊技球の入賞を狙う。なお、可動入賞役物へ遊技球が入賞した場合、特別図柄表示部８３では第２特別図柄を変動／確定表示させる。
【００１７】
一方、「大当たり状態」が生起することなく、第１特別図柄及び第２特別図柄の合計の確定表示回数が所定回数に達して時短状態が終了すると、右打ちを止めて左打ちを行う上記遊技へと戻る。
さらに、図柄の変動表示中において、特定のリーチ演出が実行される等といったように所定の条件が満たされると、サブ制御装置による制御のもと電動役物３１を作動させ、後述の如き動作で装飾可動体３２を退避位置から演出位置へ移動させ、遊技者に「大当たり状態」生起の期待感を抱かせる。
【００１８】
（電動役物の説明）
ここで、本発明の要部となる電動役物３１について、図５〜図１８にもとづき詳細に説明する。
図５は、装飾可動体３２が退避位置にある状態の電動役物３１を前側から示した説明図である。図６は、装飾可動体３２が演出位置にある状態の電動役物３１を前側から示した説明図である。図７は、支持アーム体５６が第１回動姿勢にある状態の回動機構及びスライド機構を前側から示した説明図である。図８は、支持アーム体５６が第２回動姿勢にある状態の回動機構及びスライド機構を前側から示した説明図である。図９は、分解状態にある回動機構を前側から示した斜視説明図である。図１０は、分解状態にある回動機構を後側から示した斜視説明図である。図１１は、スライド機構及び分解状態にある装飾可動体３２を前側から示した斜視説明図である。図１２は、スライド機構及び分解状態にある装飾可動体３２を後側から示した斜視説明図である。図１３は、上飾り部材６８及び下飾り部材６９が退避姿勢にある状態の装飾可動体３２の内部を前側から示した説明図である。図１４は、退避姿勢にある下飾り部材６９と作用突起６３との関係を前側から示した説明図である。図１５は、退避姿勢にある上飾り部材６８及び下飾り部材６９と作用突起６３との関係を後側から示した説明図である。図１６は、上飾り部材６８及び下飾り部材６９が演出姿勢にある状態の装飾可動体３２の内部を前側から示した説明図である。図１７は、演出姿勢にある下飾り部材６９と作用突起６３との関係を前側から示した説明図である。図１８は、演出姿勢にある上飾り部材６８及び下飾り部材６９と作用突起６３との関係を後側から示した説明図である。
【００１９】
電動役物３１は、退避位置と演出位置との間を移動する装飾可動体３２と、前後方向を軸として装飾可動体３２を上下に回動させるための回動機構と、回動に応じて装飾可動体３２を所定方向へスライドさせるためのスライド機構とを備えてなる。
回動機構は、モータ３５と、モータ３５に直結されたモータピニオン３６と、モータピニオン３６が噛合する連結用ピニオン３７と、連結用ピニオン３７が噛合するカム付きピニオン３８と、カム付きピニオン３８の回転に応じて上下方向へスライドするスライド体３９と、スライド体３９のスライドに応じ前後方向を軸として回動する回動アーム体４０と、後ケース及び前ケースからなる第１ケーシング部材４３とを有する。
【００２０】
モータ３５は、前後方向を軸として回転可能に第１ケーシング部材４３へ固定されており、前方へ突出するモータ３５の軸にモータピニオン３６が嵌着されている。また、モータピニオン３６の近傍に、モータ３５の回転駆動をカム付きピニオン３８に伝えるための連結用ピニオン３７が、前後方向を軸として回転可能に取り付けられている。さらに、連結用ピニオン３７の近傍に、後面にカム４４を備えたカム付きピニオン３８が、前後方向を軸として回転可能に取り付けられている。カム４４は、外周縁部の一部が径方向で他の部位よりも突出するような形状に形成されており、その外周面にスライド体３９に設けられた突起４５が当接している。そして、カム付きピニオン３８の回転に伴い、突起４５がカム４４の外周面に沿って移動することで、スライド体３９が上昇位置と下降位置との間を上下方向へ作動するようになっている。
【００２１】
また、カム付きピニオン３８の後方に、スライド体３９が取り付けられている。そして、該スライド体３９の前面上端部に、上述したようにカム４４の外周面に当接する突起４５が突設されている。また、スライド体３９の後面には、後方へ突出する２つの案内突起４６、４６が設けられている。各案内突起４６は、第１ケーシング部材４３の後ケースに設けられた上下方向へ長い長孔状の案内孔４７に嵌入しており、案内突起４６、４６が案内孔４７、４７内を移動することで、スライド体３９の上下方向へのスライドが案内され、案内突起４６、４６が案内孔４７、４７の下端に到達したことをもって、スライド体３９の下降位置からの更なる下方へのスライドが規制されるようになっている。さらに、スライド体３９の前面下端部には、回動アーム体４０の連結突起５０を差し込み可能な凹部４８が設けられている。加えて、カム付きピニオン３８の下方で、スライド体３９の前方となる位置に、回動アーム体４０が左端部を軸として回動可能に取り付けられている。回動アーム体４０は、左右方向に長い合成樹脂製の棒状部材であり、左端部に、第１ケーシング部材４３へ軸着される回動軸部４９が設けられている。また、回動軸部４９の右隣に、スライド体３９の凹部４８内へ相対的に回動可能に差し込み可能な連結突起５０が後方へ突設されている。さらに、回動体アーム体４０の右端部に、装飾可動体３２の後面から突出する連結軸７２の後端を軸支する軸受け部５１が設けられている。
【００２２】
一方、スライド機構は、スライドレール５５と、スライドレール５５を支持する支持アーム体５６と、支持アーム体５６が軸着される第２ケーシング部材６１とを有する。スライドレール５５は、左右方向へ長い帯状の固定レール５７と、固定レール５７内を固定レール５７に沿ってスライド自在な移動レール５８と、移動レール５８内を移動レール５８に沿ってスライド自在な移動体５９とを備えてなる。また、支持アーム体５６は、左右方向へ長い合成樹脂製の棒状部材であり、前面に固定レール５７を固定可能となっている。さらに、支持アーム体５６の右端部に、前後方向を軸として回動可能に第２ケーシング部材６１へ軸着するための軸部６０が設けられている。加えて、支持アーム体５６の下辺部で、固定レール５７の固定部の下側となる位置には、下方へ突出する舌部が設けられており、該舌部には、後述する上飾り部材６８及び下飾り部材６９を作動させるための作動突起６３が前方へ突設されている。なお、第２ケーシング部材６１は、板金６２等を介して第１ケーシング部材４３と一体化されている。
【００２３】
また、装飾可動体３２は、前側ケース６５と後側ケース６６とを組み付けてなる本体ケースを有しており、該本体ケース内に、複数のＬＥＤが搭載された発光基板６７や、本体ケースに対して突出／埋入する上飾り部材６８及び下飾り部材６９等が設置されてなる。前側ケース６５は、後側に開口し、後側ケース６６の前方を覆うように組み付けられるケース体であって、正面視が所定のキャラクター形状（ここでは魚）に形成されている。該前側ケース６５の中央部には、透光窓７０が開設されており、該透光窓７０には、透光性を有する合成樹脂からなる装飾カバー７１（図１１等では省略）が取り付けられている。一方、後側ケース６６は、前面に発光基板６７等の各種部材を固定可能な基台状に形成されてなるものであって、上部稍左寄りとなる位置には、回動アーム体４０に連結される連結軸７２が挿通可能な軸孔部７３が設けられている。また、軸孔部７３の右側には、左右方向（スライドレール５５における固定レール５７の延設方向、すなわち装飾可動体３２のスライド方向に平行な方向）へ長い長孔状のスリット７４が開設されており、支持アーム体５６に設けられた作動突起６３が、該スリット７４を介して本体ケース内へ進入可能となっている。さらに、後側ケース６６の後面で、スリット７４の上方となる位置には、移動体５９に後側ケース６６を固定するための固定部８２が設けられている。
【００２４】
上飾り部材６８は、左右方向（すなわち、装飾可動体３２のスライド方向に平行な方向）に長い正面視への字状の上アーム部６８ａと、上アーム部６８ａの先端側の上辺部に沿って設けられた上飾り部６８ｂとを有している。また、上アーム部６８ａの基端部（基端位置側の端部）に、上飾り部材６８を本体ケースに対し前後方向を軸として上下へ揺動自在に取り付けるための下揺動軸部７５が設けられている。そして、上飾り部材６８は、当該下揺動軸部７５を軸として、上飾り部６８ｂが上昇して本体ケースから上方に突出する第１演出姿勢と、上飾り部６８ｂが下降して本体ケース内へ埋入する第１退避姿勢との間で揺動可能となっている。また、下揺動軸部７５の上方には、自身の揺動に際して下飾り部材６９を押圧するとともに、下飾り部材６９の揺動に際して押圧され、両飾り部材６８、６９を互いに連動させるための押圧突起７６が後方へ突設されている。
【００２５】
下飾り部材６９は、上飾り部材６８同様、左右方向に長く形成され、上飾り部材６８とは上下逆さとなるような正面視逆への字状の下アーム部６９ａと、下アーム部６９ａの先端側の下辺部に沿って設けられた下飾り部６９ｂとを有しているとともに、上飾り部材６８よりも軽量となっている。また、下アーム部６９ａの基端部（基端位置側の端部）に、下飾り部材６９を本体ケースに対し前後方向を軸として上下へ揺動自在に取り付けるための上揺動軸部７７が設けられている。そして、下飾り部材６９は、上飾り部材６８の後方で上揺動軸部７７を軸として、下飾り部６９ｂが下降して本体ケースから下方に突出する第２演出姿勢と、下飾り部６９ｂが上昇して本体ケース内へ埋入する第２退避姿勢との間で揺動可能となっている。また、上揺動軸部７７の下方には、押圧突起７６が進入可能で、上飾り部材６８の揺動に際して押圧突起７６により押圧されるとともに、自身の揺動に際して上飾り部材６８の押圧突起７６を押圧し、両飾り部材６８、６９を互いに連動させるための被押圧孔７８が設けられている。さらに、下アーム部６９ａの上辺部には、装飾可動体３２（移動体５９）のスライドに伴いスリット７４内を相対的に移動する作用突起６３との干渉を避けるべく、スリット７４よりも下方へ切り欠かれた逃げ部８５が設けられている。加えて、下アーム部６９ａの上辺部で、逃げ部８５よりも基端側の上辺部には、本体ケースへの取付時に、スリット７４の前方（すなわち、作用突起６３の移動軌跡上）に達するまで上方へ膨出する被作用部７９が逃げ部８５から連続して設けられており、装飾可動体３２のスライドに伴い作用突起６３がスリット７４内を相対的に右側へ移動した際、被作用部７９の上面に作用突起６３が干渉し、下飾り部材６９に対して第２演出姿勢へと揺動する側へ負荷がかかるようになっている。なお、押圧突起７６の被押圧孔７８への進入位置は、上下に所定間隔離して並設された上揺動軸部７７と下揺動軸部７５との上下間で両軸部７５、７７よりも稍左寄り（先端位置寄り）の位置となっているとともに、下揺動軸部７５と押圧突起７６との直線距離と、上揺動軸部７７と被押圧孔７８との直線距離は略同じとなっている。
【００２６】
加えて、８０は、発光基板６７を前面側から押さえるように後側ケース６６へ固定される押さえ板であり、連結軸７２の前端の軸支にも使用される。また、８１は、上飾り部材６８及び下飾り部材６９の揺動軸の前端を軸支するために後側ケース６６へ固定される軸支板である。そして、該軸支板８１には、第１退避姿勢にある上飾り部材６８の上アーム部６８ａの下面に当接し、上飾り部材６８の第１退避姿勢を越えての下方への揺動を規制する規制突起８４が設けられている。なお、連結軸７２の後端は回動アーム体４０の軸受け部５１に、上飾り部材６８及び下飾り部材６９の揺動軸の後端は後側ケース６６に設けられた軸支部に夫々軸支される。
【００２７】
上記構成を有する装飾可動体３２は、軸孔部７３を介して連結軸７２を後側ケース６６よりも後方へ突出させた状態で、押さえ板８０を固定する等して発光基板６７を取り付けるとともに、上飾り部材６８の押圧突起７６を下飾り部材６９の被押圧孔７８内へ前側から差し込んだ状態で、軸支板８１等を用いて両飾り部材６８、６９を取り付け、さらに後側ケース６６の前方を覆うように前側ケース６５を組み付けることによって、組み立てられる。また、該装飾可動体３２は、連結軸７２の後端を回動アーム体４０の軸受け部５１に軸支させるとともに、固定部８２を移動体５９の前面側に固定することによって、回動機構及びスライド機構と連結される。このとき、支持アーム体５６の作用突起６３は、スリット７４を介して装飾可動体３２の内部へ進入しており、その先端と下飾り部材６９とが上下方向で重なった状態となっている。また、作用突起６３の先端は、下飾り部材６９の前方に位置する上飾り部材６８までは達しておらず、上飾り部材６８の揺動時に、上飾り部材６８と作用突起６３とは干渉しないようになっている。
【００２８】
そして、上述したような電動役物３１における装飾可動体３２の退避位置と演出位置との間の移動について説明すると、通常時、回動機構においてカム４４の突出部の先端上に突起４５が位置しており、スライド体３９が上昇位置にある。そのため、回動アーム体４０は、装飾可動体３２との連結部が上方に位置する上回動姿勢をとっており、装飾可動体３２は、図５等に示すような退避位置にある。また、このとき支持アーム体５６は先端側と基端側とが略水平（厳密には、先端側が基端側よりも僅かに上方に位置している）となるような第１回動姿勢をとっており、装飾可動体３２も退避位置では略水平姿勢となっている。さらに、支持アーム体５６において、移動体５９は移動レール５８の右端に位置しており、移動レール５８は固定レール５７の略右端に位置している（移動体が基端位置に位置している）。
【００２９】
ここで、モータ３５が駆動してカム付きピニオン３８、ひいてはカム４４が右回りに回転すると、突起４５がカム４４の突出部の先端を越えて下方へ落下する格好となり、スライド体３９が上昇位置から下降位置へスライドする。そのため、回動アーム体４０は、連結突起５０が下方へ押されることになり、左端を軸として上記上回動姿勢から装飾可動体３２との連結部が下方に位置する下回動姿勢側へ回動を開始する。このとき、装飾可動体３２が連結部に下側へ引っ張られるため、装飾可動体３２が固定されている移動体５９、ひいては支持アーム体５６に下方へ負荷がかかり、支持アーム体５６が右端（スライド手段の基端位置側）を軸として上記第１回動姿勢から先端側が基端側よりも下方に位置する第２回動姿勢側へ回動を開始し、装飾可動体３２の姿勢も支持アーム体５６と同じ左下がりの傾斜姿勢となる。また、装飾可動体３２が回動アーム体４０により左側へ引っ張られること、及び、支持アーム体５６が左下がりの姿勢になることにより、移動レール５８が固定レール５７に沿って左側へスライドを開始するとともに、移動体５９が移動レール５８に沿って左側へスライドを開始する。すなわち、装飾可動体３２は、支持アーム体５６と共に回動しながら、スライドレール５５によって左下方へスライドすることになる。そして、スライド体３９が下降位置に達して回動アーム体４０が下回動姿勢を、支持アーム体５６が第２回動姿勢を夫々とったことをもって、装飾可動体３２は、図６等に示すような演出位置へと移動することになる。このとき、移動レール５８は固定レール５７の左端に達しており、移動体５９は移動レール５８の略左端に達している（移動体が先端位置に位置する）。
【００３０】
なお、演出位置から退避位置への復帰は、上記カム４４の突出部の先端上に突起４５が位置するまで、モータ３５を更に駆動させてカム４４を右回りに回転させればよい。すると、カム４４の外周面に沿って突起４５、ひいてはスライド体３９が持ち上げられ、回動アーム体４０が上回動姿勢へと復帰する。したがって、支持アーム体５６も第１回動姿勢へ復帰し、装飾可動体３２は回動アーム体４２に押し戻される格好で退避位置へ復帰することになる。
【００３１】
次に、装飾可動体３２における上飾り部材６８及び下飾り部材６９の動作について説明すると、装飾可動体３２が退避位置にある（移動体が基端位置にある）と、作用突起６３はスリット７４の略左端に位置して逃げ部８５の上方にあり、下飾り部材６９と干渉していない。そして、上飾り部材６８は、自重によって退避姿勢をとっている。一方、下飾り部材６９については、押圧突起７６と被押圧孔７８とのリンクにより、第２退避姿勢へと揺動する側へ負荷がかけられた状態となっている。したがって、そのような負荷に加え、下飾り部材６９が上飾り部材６８よりも軽量に形成されていることから、下飾り部材６９は重力に抗して第２退避姿勢をとっている。
【００３２】
ここで、装飾可動体３２が演出位置へ移動する（移動体が先端位置へスライドする）と、作用突起６３は、スリット７４内を相対的に右側（基端位置側）へ移動する。そして、作用突起６３は、スリット７４の右端に到達するまでの間に、下飾り部材６９の被作用部７９の上面に当接し、被作用部７９、ひいては下飾り部材６９を押し下げる。したがって、下飾り部材６９は、第２退避姿勢から下方へ揺動して第２演出姿勢をとる。一方、上飾り部材６８は、下飾り部材６９の揺動に連動して第１退避姿勢から上方へ揺動し、重力に抗して第１演出姿勢をとる。なお、両飾り部材６８、６９が演出姿勢にある間、作用突起６３は被作用部７９の上面に当接しており、下飾り部材６９の上方への揺動を規制し、両飾り部材６８、６９を演出姿勢のまま保持する。また、装飾可動体３２の退避位置への復帰に伴い、作用突起６３がスリット７４内を相対的に左側へ移動して被押圧部７９の上面から離れると、上飾り部材６８が自重によって第１退避姿勢へ復帰し、下飾り部材６９は当該上飾り部材６８の復帰に連動して第２退避姿勢へ復帰する。
【００３３】
（本実施形態のパチンコ機による効果）
以上のような構成を有する電動役物３１を備えたパチンコ機１によれば、スライドレール５５の移動体５９に装飾可動体３２を固定するとともに、当該スライドレール５５を、先端側と基端側とが略水平となる第１回動姿勢と、先端側が基端側よりも下方に位置する第２回動姿勢との間で、基端側を軸として回動可能とし、装飾可動体３２が、回動のみならず、スライドレール５５の回動に応じた移動体５９のスライドにより退避位置から演出位置へ移動するようにしている。したがって、従来の回動のみにより退避位置から演出位置へ移動させるものと比較して、装飾可動体３２を広い範囲にわたり移動させることができ、電動役物３１による演出効果の高い、すなわち遊技性の高いパチンコ機１とすることができる。
また、スライドレール５５を、固定レール５７と、固定レール５７上をスライドする移動レール５８と、移動レール５８上をスライドする移動体５９とから構成しているため、移動体５９のスライド速度が速く、より電動役物３１による演出効果の高いパチンコ機１とすることができる。さらにまた、移動体５９をスライドさせるためのモータ等の駆動手段が必要でなく、部品点数の削減やそれに伴うコスト低下といった効果に加え、煩雑な配線作業を必要としない、配線用のスペースを確保する必要がない等の効果もある。
【００３４】
さらに、移動体５９のスライドに伴い、装飾可動体３２の内部を相対的に移動する作用突起６５を設ける一方、作用突起６５の移動を妨げない逃げ部８５と、作用突起６５が干渉する被作用部７９とを有する下飾り部材６９を第２退避姿勢と第２演出姿勢との間で揺動可能に設け、更に、第１退避姿勢と第１演出姿勢との間で揺動する上飾り部材６８を、両飾り部材６８、６９が互いの揺動に連動するように下飾り部材６９にリンクさせて設けており、移動体５９の初期位置から進出位置へのスライドにより作用突起６５が被作用部７９に干渉し、下飾り部材６９を第２退避姿勢から第２演出姿勢へと揺動させるとともに、当該下飾り部材６９の揺動に連動して上飾り部材６８が第１退避姿勢から第１演出姿勢へと揺動するようにしている。また、上飾り部材６８を下飾り部材６９よりも重く形成することにより、作用突起６５と被作用突起７９との干渉が解除になると、上飾り部材６８が自重により第１退避姿勢へと復帰し、当該上飾り部材６８の復帰に連動して下飾り部材６９も第２退避姿勢へと復帰するようにしている。したがって、装飾可動体３２の内部にソレノイドやモータ等の駆動手段を設けずとも、両飾り部材６８、６９を作動させることができるため、部品点数を減らすことができ、コストの低減を図ることができる上、煩雑な配線作業や配線に係るスペース確保に係る問題が生じない。
【００３５】
（本発明の変更例について）
なお、本発明の遊技機に係る構成は、上記実施形態に何ら限定されるものではなく、遊技機全体の構成は勿論、可動遊技手段に係る構成についても、本発明の趣旨を逸脱しない範囲で必要に応じて適宜変更可能である。
【００３６】
たとえば、上記実施形態では、回動手段とスライド手段とを別体としており、回動手段の駆動に伴い、装飾体を介して間接的にスライド手段が回動するような構成としているが、たとえば支持アーム体を直接回動させるモータを設ける等、回動手段とスライド手段とを一体に設けるような構成（すなわち、上記実施形態の回動アーム体等を設けないような構成）を採用することも可能である。
また、上記実施形態では、回動機構が復帰手段を兼ね備えるように構成しているが、装飾体を基端位置側へ付勢するバネを設ける等することにより、復帰手段を構成することも可能である。
【００３７】
さらにまた、可動遊技手段をどこに設けるかといった事項、すなわちどのような位置を第１位置や第２位置とするかといった事項や、何個設けるかといった事項については適宜設計変更可能であるし、第１回動姿勢についても、基端位置と先端位置とが水平となるような姿勢を第１回動姿勢としても何ら問題はない。
またさらに、可動遊技手段が作動する契機となる所定の条件についても、上記実施形態では演出用表示部において特定のリーチ演出が実行されるとしているが、他の条件（たとえば、確変大当たり等の特定特別遊技状態が生起したといった条件や、デモ演出中に押しボタンが操作されたといった条件等が考えられる）を所定の条件としてもよい。
【００３８】
また、上記実施形態では、上飾り部材が下側となり、下飾り部材が上側となるように両飾り部材を夫々軸着しているが、上飾り部材が上側となり、下飾り部材が下側となるように両飾り部材を夫々軸着することも可能である。さらに、上記実施形態では、下飾り部材が後側となり、上飾り部材が前側となるように両飾り部材を夫々軸着しているが、上飾り部材が後側となり、下飾り部材が前側となるように両飾り部材を夫々軸着してもよい。その場合、上飾り部材の下辺部に、スリット内を異動する作用突起との干渉を避けるためにスリットよりも上方へ切り欠かれた逃げ部を設けるとともに、逃げ部よりも基端位置側の下辺部に、本体ケースへの取付時に、スリットの前方に達するまで下方へ膨出する被作用部を逃げ部から連続して設け、移動体の先端位置側へのスライドに伴い、作用突起が被作用部の下面に干渉して、上飾り部材を押し上げるように構成すれば良い。なお、上記実施形態では、上飾り部材に押圧突起を、下飾り部材に被押圧孔を夫々設けているが、上飾り部材に被押圧孔を、下飾り部材に押圧突起を夫々設けることは当然可能であり、上飾り部材と下飾り部材とをどのように連動可能にリンクさせるかについては適宜設計変更可能である。
さらにまた、上記実施形態では、スライド手段としてスライドレールを採用し、スライド手段の回動に伴い移動体が基端位置と先端位置との間をスライドするように構成しているが、移動体をスライドさせるためのモータ等の駆動源を設けてもよいし、ピニオンとラックとを利用して移動体をスライドさせるように構成しても何ら問題はない。
【００３９】
またさらに、上記実施形態では、上可動部材の自重のみにより両可動部材を演出姿勢から退避姿勢へ復帰させるように構成しているが、上可動部材と下可動部材との少なくとも何れか一方に、その可動部材を退避姿勢側へ付勢するようなねじりバネやコイルバネ等の付勢手段を補助的に設けることも可能である。また、そのような付勢手段を設けるにあたり、上可動部材の自重ではなく、付勢手段の付勢力により付勢された可動部材を退避姿勢へ復帰させるとともに、両可動部材を退避姿勢のまま維持するように構成することも可能である。その場合、上可動部材を下可動部材よりも重く形成せずとも良いことは言うまでもない。なお、ねじりバネを用いるにあたっては、下揺動軸部や上揺動軸部を利用して各可動部材を退避姿勢側へ付勢するようにねじりバネを取り付ければよいし、コイルバネを用いるにあたっては、上可動部材と下可動部材とにコイルバネの端部を夫々掛止するための掛止部等を設ければよい。
【００４０】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、可動遊技手段やスライド手段、回動手段、復帰手段、装飾体、移動体等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００４１】
１・・パチンコ機（遊技機）、３１・・電動役物（可動遊技手段）、３２・・装飾可動体（装飾体）、３５・・モータ（回動手段）、３６・・モータピニオン（回動手段）、３７・・連結用ピニオン（回動手段）、３８・・カム付きピニオン（回動手段）、３９・・スライド体（回動手段）、４０・・回動アーム体（回動手段、復帰手段）、５５・・スライドレール（スライド手段）、５６・・支持アーム体（スライド手段）、５７・・固定レール（スライド手段）、５８・・移動レール（スライド手段）、５９・・移動体（スライド手段）。
【図１】
0006458259.tif 000002
【図２】
0006458259.tif 000003
【図３】
0006458259.tif 000004
【図４】
0006458259.tif 000005
【図５】
0006458259.tif 000006
【図６】
0006458259.tif 000007
【図７】
0006458259.tif 000008
【図８】
0006458259.tif 000009
【図９】
0006458259.tif 000010
【図１０】
0006458259.tif 000011
【図１１】
0006458259.tif 000012
【図１２】
0006458259.tif 000013
【図１３】
0006458259.tif 000014
【図１４】
0006458259.tif 000015
【図１５】
0006458259.tif 000016
【図１６】
0006458259.tif 000017
【図１７】
0006458259.tif 000018
【図１８】
0006458259.tif 000019